(57)【要約】【課題】ユーザに対する通信料の負担、及びプリントベンダーマシンに対するメンテナンスの負荷を増加させることなく、ダウンロードされるデータを保護しながらダウンロードサービスを提供する。【解決手段】携帯電話機２から認証サーバ６に固有の識別データ（ＳＩＤ）が送信され、認証サーバ６において、携帯電話機２がサービスの利用が可能な正当な機器であるか認証される。正当な機器と認証された場合に、携帯電話機２からプリントベンダーマシン１に対してＳＩＤを送信して、サーバシステム４が提供するデータの取得を要求する。プリントベンダーマシン１は、携帯電話機２からの要求に応じて、携帯電話機２からのＳＩＤを送信してデータの提供を要求する。コンテンツサーバ５は、プリントベンダーマシン１からのＳＩＤが先に認証されたＳＩＤと同一であると確認された場合に、プリントベンダーマシン１に対して要求されたデータを送信する。【選択図】      図１
2006080945.tif 000002
【特許請求の範囲】
【請求項１】
携帯通信機器とデータ出力装置とサーバシステムとを含むデータ出力システムにおいて、
前記携帯通信機器から前記サーバシステムに認証データを送信して認証を要求し、前記サーバシステムにおいて、前記携帯通信機器が前記サーバシステムにより提供されるデータを前記データ出力装置を通じて取得可能な正当な機器であるか認証する認証手段と、
前記認証手段によって正当な機器と認証された場合に、前記携帯通信機器から前記データ出力装置に対して前記認証データを送信して、前記サーバシステムが提供するデータの取得を要求するデータ取得要求手段と、
前記携帯通信機器からの要求に応じて、前記データ出力装置から前記サーバシステムに対して前記認証データを送信し、データの提供を要求するデータ提供要求手段と、
前記データ出力手段からの要求に応じて、前記サーバシステムにおいて、前記認証データが前記認証手段により認証された認証データであると確認された場合に、前記データ出力装置に対してデータを送信するデータ送信手段と
を具備したことを特徴とするデータ出力システム。
【請求項２】
携帯通信機器とデータ出力装置とサーバシステムとを含むデータ出力システムにおいて、
前記携帯通信機器から前記サーバシステムに対して、前記データ出力装置に割り当てられたアドレスと前記携帯通信機器に固有の識別データとを送信して認証を要求し、前記サーバシステムにおいて、前記携帯通信機器が前記サーバシステムにより提供されるデータを前記データ出力装置を通じて取得可能な正当な機器であるか前記識別データをもとに認証する認証手段と、
前記認証手段によって正当な機器と認証された場合に、前記携帯通信機器から前記データ出力装置に対して前記識別データを送信して、前記サーバシステムが提供するデータの取得を要求するデータ取得要求手段と、
前記携帯通信機器からの要求に応じて、前記データ出力装置から前記サーバシステムに対して前記識別データと前記アドレスを送信し、データの提供を要求するデータ提供要求手段と、
前記データ出力手段からの要求に応じて、前記サーバシステムにおいて、前記データ出力装置から送信された識別データが前記認証手段により認証された前記識別データであると確認され、同識別データと共に前記携帯通信機器から送信されたアドレスと前記データ出力装置から送信されたアドレスが一致した場合に、前記データ出力装置に対してデータを送信するデータ送信手段と
を具備したことを特徴とするデータ出力システム。
【請求項３】
前記携帯通信機器は、
前記サーバシステムから、前記サーバシステムが提供しているデータに関するサービス情報を取得する取得手段と、
前記サービス情報をもとに前記サーバシステムから取得するデータを選択する選択手段と、
前記選択手段によって設定されたデータを前記データ出力装置に対して指定するデータ指定手段と
を具備したことを特徴とする請求項１または２記載のデータ出力システム。
【請求項４】
前記サーバシステムは、
前記携帯通信機器からの要求に応じて認証処理を実行する認証サーバと、
前記データ出力装置に提供するデータを蓄積するデータベースサーバと、
前記認証サーバの認証結果に応じて、前記ですサーバに蓄積されたデータを前記データ出力装置に提供するコンテンツサーバとを有することを特徴とする請求項１または２記載のデータ出力システム。
【請求項５】
前記データ出力装置は、画像データをもとに印刷をするものであり、
前記サーバシステムに対して、画像データの提供を要求することを特徴とする請求項１または２記載のデータ出力システム。
【請求項６】
携帯通信機器とデータ出力装置とサーバシステムとを含むデータ出力システムのデータ出力方法において、
前記携帯通信機器から前記サーバシステムに認証データを送信して認証を要求し、前記サーバシステムにおいて、前記サーバシステムが提供するデータを前記データ出力装置を通じて取得可能な正当な機器であるか認証する認証ステップと、
前記認証ステップによって正当な機器と認証された場合に、前記携帯通信機器から前記データ出力装置に対して前記認証データを送信して、前記サーバシステムが提供するデータの取得を要求するデータ取得要求ステップと、
前記携帯通信機器からの要求に応じて、前記データ出力装置から前記サーバシステムに対して前記認証データを送信し、データの提供を要求するデータ提供要求ステップと、
前記データ出力ステップによる要求に応じて、前記サーバシステムにおいて、前記認証データが前記認証手段により認証された認証データであると確認された場合に、前記データ出力装置に対してデータを送信するデータ送信ステップと
を具備したことを特徴とするデータ出力方法。
【発明の詳細な説明】
【技術分野】
【０００１】
本発明は、画像データなどのコンテンツをダウンロードしてデータ出力装置から出力させるデータ出力システム、データ出力方法に関する。
【背景技術】
【０００２】
近年では、サーバに保管された画像データをダウンロードすることが可能なダウンロードサービスが考えられている（例えば特許文献１参照）。また、ダウンロードした画像データをプリントするプリントベンダーマシンによるサービスの提供も行われている。
【０００３】
従来では、プリントベンダーマシンによりサービスを利用する場合、例えば一度、携帯電話機でサービスを提供しているサイトにインターネットを介してアクセスし、画像データをダウンロードした上で、その携帯電話機をプリントベンダーマシンに接続して、画像データを送信してプリントを実行させるか、あるいは予めプリントベンダーマシンにダウンロードサービスの情報（ダウンロード可能な画像データについての情報）が記録されており、ユーザがダウンロード対象とする画像データを選択することで、画像データのダウンロードとプリントを実行させる方法が用いられていた。
【特許文献１】特開平１０−１５０５２３号公報
【発明の開示】
【発明が解決しようとする課題】
【０００４】
このようにプリントベンダーマシンを用いたダウンロードサービスを利用する場合、先にプリントベンダーマシン以外の端末（携帯電話機）を用いて画像データをダウンロードした上で、そのデータをプリントベンダーマシンに転送してプリントを実行させると、携帯電話機によるデータ通信量が非常に大きくなるため通信料の増大を招いてしまう。また、各ユーザが使用する携帯電話機にダウンロードさせるにはデータの保護などの対策が必要となってしまう。
【０００５】
また、プリントベンダーマシンがダウンロードサービスの情報を予め記録しておく方法では、新しいサービス等（画像データの新規追加など）を提供しようとする場合には、プリントベンダーマシンに記録されている情報を、その都度更新しなければならず、プリントベンダーマシンの台数が多いほど、メンテナンス作業の負担増加を招いてしまう。
【０００６】
本発明の課題は、ユーザに対する通信料の負担、及びプリントベンダーマシンに対するメンテナンスの負荷を増加させることなく、ダウンロードされるデータを保護しながらダウンロードサービスを提供することが可能なデータ出力システム、データ出力方法を提供することにある。
【課題を解決するための手段】
【０００７】
請求項１記載の発明は、携帯通信機器とデータ出力装置とサーバシステムとを含むデータ出力システムにおいて、前記携帯通信機器から前記サーバシステムに認証データを送信して認証を要求し、前記サーバシステムにおいて、前記携帯通信機器が前記サーバシステムにより提供されるデータを前記データ出力装置を通じて取得可能な正当な機器であるか認証する認証手段と、前記認証手段によって正当な機器と認証された場合に、前記携帯通信機器から前記データ出力装置に対して前記認証データを送信して、前記サーバシステムが提供するデータの取得を要求するデータ取得要求手段と、前記携帯通信機器からの要求に応じて、前記データ出力装置から前記サーバシステムに対して前記認証データを送信し、データの提供を要求するデータ提供要求手段と、前記データ出力手段からの要求に応じて、前記サーバシステムにおいて、前記認証データが前記認証手段により認証された認証データであると確認された場合に、前記データ出力装置に対してデータを送信するデータ送信手段とを具備したことを特徴とする。
【０００８】
請求項２記載の発明は、携帯通信機器とデータ出力装置とサーバシステムとを含むデータ出力システムにおいて、前記携帯通信機器から前記サーバシステムに対して、前記データ出力装置に割り当てられたアドレスと前記携帯通信機器に固有の識別データとを送信して認証を要求し、前記サーバシステムにおいて、前記携帯通信機器が前記サーバシステムにより提供されるデータを前記データ出力装置を通じて取得可能な正当な機器であるか前記識別データをもとに認証する認証手段と、前記認証手段によって正当な機器と認証された場合に、前記携帯通信機器から前記データ出力装置に対して前記識別データを送信して、前記サーバシステムが提供するデータの取得を要求するデータ取得要求手段と、前記携帯通信機器からの要求に応じて、前記データ出力装置から前記サーバシステムに対して前記識別データと前記アドレスを送信し、データの提供を要求するデータ提供要求手段と、前記データ出力手段からの要求に応じて、前記サーバシステムにおいて、前記データ出力装置から送信された識別データが前記認証手段により認証された前記識別データであると確認され、同識別データと共に前記携帯通信機器から送信されたアドレスと前記データ出力装置から送信されたアドレスが一致した場合に、前記データ出力装置に対してデータを送信するデータ送信手段とを具備したことを特徴とする。
【０００９】
請求項３記載の発明は、請求項１または２記載の発明において、前記携帯通信機器は、前記サーバシステムから、前記サーバシステムが提供しているデータに関するサービス情報を取得する取得手段と、前記サービス情報をもとに前記サーバシステムから取得するデータを選択する選択手段と、前記選択手段によって設定されたデータを前記データ出力装置に対して指定するデータ指定手段とを具備したことを特徴とする。
【００１０】
請求項４記載の発明は、請求項１または２記載の発明において、前記サーバシステムは、前記携帯通信機器からの要求に応じて認証処理を実行する認証サーバと、前記データ出力装置に提供するデータを蓄積するデータベースサーバと、前記認証サーバの認証結果に応じて、前記ですサーバに蓄積されたデータを前記データ出力装置に提供するコンテンツサーバとを有することを特徴とする。
【００１１】
請求項５記載の発明は、請求項１または２記載の発明において、前記データ出力装置は、画像データをもとに印刷をするものであり、前記サーバシステムに対して、画像データの提供を要求することを特徴とする。
【００１２】
請求項６記載の発明は、携帯通信機器とデータ出力装置とサーバシステムとを含むデータ出力システムのデータ出力方法において、前記携帯通信機器から前記サーバシステムに認証データを送信して認証を要求し、前記サーバシステムにおいて、前記サーバシステムが提供するデータを前記データ出力装置を通じて取得可能な正当な機器であるか認証する認証ステップと、前記認証ステップによって正当な機器と認証された場合に、前記携帯通信機器から前記データ出力装置に対して前記認証データを送信して、前記サーバシステムが提供するデータの取得を要求するデータ取得要求ステップと、前記携帯通信機器からの要求に応じて、前記データ出力装置から前記サーバシステムに対して前記認証データを送信し、データの提供を要求するデータ提供要求ステップと、前記データ出力ステップによる要求に応じて、前記サーバシステムにおいて、前記認証データが前記認証手段により認証された認証データであると確認された場合に、前記データ出力装置に対してデータを送信するデータ送信ステップとを具備したことを特徴とする。
【発明の効果】
【００１３】
本発明によれば、データのダウンロードを携帯通信機器を介さないで、データ出力装置が直接サーバシステムからするようにしたので、ユーザに対する通信料の負担の増加を招くことなく、また、ダウンロードされるデータを保護するための仕組みを不要とすることができ、また携帯通信機器からのデータの取得要求に応じてデータ出力装置がデータのダウンロードを実行するので、サービスが変更される場合であってもデータ出力装置（プリントベンダーマシン）に対するメンテナンスの負荷が増加しない。
【発明を実施するための最良の形態】
【００１４】
以下、図面を参照して本発明の実施の形態について説明する。  
図１は、本実施形態におけるデータ出力システムの構成を示すブロック図である。
【００１５】
図１に示す複数のプリントベンダーマシン１（１−１，１−２，１−３，…）は、各所に設置されて任意に利用されるもので、画像データなどのコンテンツデータをもとに高精細なプリント出力（写真出力）をする機能を有している。本実施形態のプリントベンダーマシン１は、携帯通信機器として例えば携帯電話機２が接続され、携帯電話機２による通信網３を介したサーバシステム４における認証に成功した場合に、通信網３を介してサーバシステム４からコンテンツデータをダウンロードして出力することができる。
【００１６】
携帯電話機２は、公衆回線網を通じて通常の音声通話のための通信をする他、インターネットを通じて例えばサーバシステム４との間でデータ通信をすることができる。携帯電話機２は、プリントベンダーマシン１を通じてサーバシステム４が提供するコンテンツを取得する場合に、例えば近距離通信（例えばＢｌｕｅｔｏｏｔｈ（登録商標）などによる無線通信やケーブル接続による通信）により接続することができる。
【００１７】
サーバシステム４は、コンテンツのダウンロードサービスを提供するもので、例えばコンテンツサーバ５、認証サーバ６、及びデータベースサーバ７が含まれている。コンテンツサーバ５は、要求されたコンテンツデータを、通信網３（インターネット）を介してダウンロードさせるコンテンツサービスを提供する。本実施形態では、プリントベンダーマシン１に対して、例えば画像データをダウンロードさせる。認証サーバ６は、通信網３を介した携帯電話機２からの認証要求に対して正規のユーザであることを認証する処理を実行する。データベースサーバ７は、ダウンロードされるコンテンツデータや顧客情報などが登録される。
【００１８】
図２は、本実施形態におけるプリントベンダーマシン１と携帯電話機２の外観構成を示す図、図３はプリントベンダーマシン１の機能構成を示すブロック図である。
【００１９】
図２に示すように、プリントベンダーマシン１の筐体前面上部には、ユーザに対して操作ガイドなどの各種情報を表示により提供するための表示装置１２と、ユーザからの操作指示等を受け付けるための入力装置１１が設けられている。入力装置１１は、例えばタッチパネルであり、表示装置１２の表示面と一体に構成されている。従って、表示装置１２において表示されたボタン等に対して、そのボタンに対する選択指示をタッチパネルから直接的に入力することができる。
【００２０】
また、筐体前面上部には、後述する外部メディア部１８に対して、印刷対象となるデータ、例えば画像データ、テキストデータ、表データ、グラフデータ等が記録される記録メディアを脱着するためのメディアスロット（挿入口）１８２が設けられている。外部メディア部１８においては複数のメディアを利用することができるものとし、各メディアに対応するメディアドライブにメディアを脱着させるための複数の挿入口が配置されている。
【００２１】
また、プリントベンダーマシン１には、例えばユーザが持参したメディアに記録されている印刷データ（以下、画像データが記録されている物として説明する）の印刷出力や、別の記録メディア（例えば、プリントベンダーマシン１で予め用意されている専用メディアなど）へのコピーなどのサービス提供に対する料金を徴収するための金銭授受装置１５が設けられており、金銭授受装置１５にユーザが１０００円札を投入するための１０００札投入口１５ａ、硬貨を投入するための硬貨投入口１５ｂ、及び投入した１０００円札や硬貨、おつりなどを返却させるための返却レバー１５ｃが設けられている。
【００２２】
プリントベンダーマシン１の筐体前面下部には、画像データを印刷した紙媒体、すなわち写真が排出される写真受け取り口２３、釣銭が返却されるお釣り返却口２１、レシートが排出されるレシート受け取り口２２などが設けられている。
【００２３】
図３に示すように、プリントベンダーマシン１には、ＣＰＵ１０、入力装置（タッチパネル）１１、ＲＡＭ１３、伝送制御部１４、金銭授受装置１５、印刷装置１６、記録装置１７、及び外部メディア部１８が設けられている。
【００２４】
ＣＰＵ１０は、記録装置１７内のオペレーティングシステムや各種アプリケーションソフトにしたがって、プリントベンダーマシン１の全体動作を制御する中央演算処理装置である。記録装置１７は、オペレーティングシステムや各種アプリケーションソフト、あるいは操作ガイドを表示装置１２において表示させるための表示用データ等が格納され、磁気的、光学的、半導体メモリ等によって構成されている記録媒体やその駆動系を有している。この記録媒体はハードディスク等の固定的な媒体若しくは着脱自在に装着可能なＣＤ−ＲＯＭ、フロッピィデスク、ＲＡＭカード、磁気カード等の可搬型の媒体である。また、この記録媒体内のプログラムやデータは、必要に応じてＣＰＵ１０の制御によりＲＡＭ１３（例えば、スタティクＲＡＭ）にロードされたり、ＲＡＭ１３内のデータが記録媒体にセーブされる。さらに、プリントベンダーマシン１に設けられているものであってもよく、ＣＰＵ１０は伝送媒体を介してこの記録媒体内のプログラム／データを直接アクセスして使用することもできる。また、ＣＰＵ１０は記録媒体内に格納されるその一部あるいは全部を他の機器側から伝送媒体を介して取り込み、記録媒体に新規登録あるいは追加登録することもできる。すなわち、コンピュータ通信システムを構成する他の機器から通信回線やケーブル等の有線伝送路あるいは電波、マイクロウエーブ、赤外線等の無線伝送路を介して送信されてきたプログラム／データを伝送制御部１４によって受信して記録媒体内にインストールすることができる。さらに、プログラム／データはサーバ等の外部機器側で記憶管理されているものであってもよく、ＣＰＵ１０は伝送媒体を介して外部機器側のプログラム／データを直接アクセスして使用することもできる。
【００２５】
一方、ＣＰＵ１０にはその入出力周辺デバイスである入力装置１１、表示装置１２、伝送制御部１４、印刷装置１６がバスライン２０を介して接続されており、入出力プログラムにしたがってＣＰＵ１０はそれらの動作を制御する。
【００２６】
表示装置１２は、フルカラー表示を行う液晶やＣＲＴあるいはプラズマ表示装置等である。
【００２７】
入力装置１１は、例えばタッチパネルであり、表示装置１２の表示画面と積層一体化されており、表示装置１２によって表示されたボタンや画像を指先で押すことで選択操作をすることができる。
【００２８】
印刷装置１６は、レーザプリンタやインクジェット等を有し、顧客から外部供給された画像データや予め内蔵されている画像データ、あるいは携帯電話機２を用いたユーザからの要求に応じてコンテンツサーバ５からダウンロードした画像データを高品位なフルカラー画像として印刷するもので、上述したように銀塩フイルムを現像して印画紙に焼き付けたような高品位な画像印刷が可能な構成となっている。
【００２９】
また、金銭授受装置１５は、１０００札投入口１５ａや硬貨投入口１５ｂから投入された印刷料金額や返却される釣銭等の返金額を計数したり、偽造判定等を行う通常の構成となっている。
【００３０】
外部メディア部１８には、複数種類のメディアのそれぞれに対して、データの書き込みあるいは読み出しをする複数のメディアドライブ１８１が設けられている。複数のメディアドライブ１８１のそれぞれに対応した挿入口１８２が、図２に示すメディアスロットとして筐体外部に露出されている。外部メディア部１８によって扱われるメディアには、例えばコンパクトフラッシュ（登録商標）カード、ＳＤ（Secure digital）カード（登録商標）、マルチメディアカード（登録商標）、メモリスティック（登録商標）などの半導体メモリの他、ＣＤ（コンパクトディスク）、ＤＶＤ（Digital Versatile Disk）、ＭＯ（Magneto Optical Disk）などの光ディスクや光磁気ディスクなど、各種のメディアを対象とすることができる。また、ＵＳＢ（Universal Serial Bus）フラッシュメモリなど、メディアドライブが不要な記録媒体を対象とすることもできる。この場合、メディアの挿入口１８２に代えてメディア接続用のコネクタなどが設けられるものとする。
【００３１】
なお、図３中には、図示していないが、レシートを印刷して発行するレシート印刷装置が設けられているものとする。
【００３２】
図４は、携帯電話機２の構成を示すブロック図である。  
図４に示すように、携帯電話機２には、ＣＰＵ３０、入力部３１、表示部３２、ＲＯＭ３３、ＲＡＭ３４、通話／通信部３５、音声入出力部３６、記録部３７、及び近距離通信部３８が設けられている。
【００３３】
ＣＰＵ３０は、ＲＯＭ３３またはＲＡＭ３４に記録されたプログラムを実行することで各種の機能を実現する。ＣＰＵ３０は、通常の電話機としての機能の他、サーバシステム４から取得したサービス情報に含まれるプログラムを実行することで、プリントベンダーマシン１においてコンテンツをダウンロードするための処理を実行する。
【００３４】
入力部３１は、電話番号入力キーや各種機能キーなどのキーボタン群、及び表示部３２（例えば液晶ディスプレイ）の画面上に設けられた座標検出を行なうタッチパネルを含む。
【００３５】
表示部３２は、例えば液晶ディスプレイにおいて画像を表示する。
【００３６】
ＲＯＭ３３は、携帯電話機１の動作に必要な各種プログラム及びデータが記録される。ＲＯＭ３３には、例えば電話機に固有の識別データ、例えばサブスクライバ（Subscriber）ＩＤ（以下、ＳＩＤと略記する）が記録されており、必要に応じて読み出されるものとする。
【００３７】
ＲＡＭ３４は、ＣＰＵ１３のワーキングメモリとして使用され、サーバシステムから取得したサービス情報に含まれるプログラムが記録される。
【００３８】
通話／通信部３５は、アンテナで受信した電波を復調して得られる音声通話用あるいはデータ通信用のデータをＣＰＵ３０に出力し、またＣＰＵ３０からの音声通話用あるいはデータ通信用のデータを変調してアンテナから送信する。
【００３９】
音声入出力部３６は、受話用のスピーカ３６ａから通話／通信部３５を介して取得された音声通話用のデータをもとに音声を出力させ、また送話用のマイク３６ｂで音声を入力して音声通話用データにする。
【００４０】
記録部３７は、プログラムや各種コンテンツのデータなどを記録するためのもので、例えば不揮発性のフラッシュメモリなどが用いられる。
【００４１】
近距離通信部３８は、例えばＢｌｕｅｔｏｏｔｈ（登録商標）による無線通信、あるいはケーブルを介した通信など、近距離にある他の機器、本実施形態ではプリントベンダーマシン１との通信を制御する。
【００４２】
次に、本実施形態におけるデータ出力システムの動作について説明する。  
まず、図５に示すフローチャートを参照しながら、携帯電話機２がサーバシステム４（コンテンツサーバ５）からサービス情報を取得する処理について説明する。
【００４３】
サービス情報は、携帯電話機２において実行されるダウンロードサービスを利用するためのプログラム（以下、ダウンロードプログラムと称する）と、ダウンロードの対象とするコンテンツに関するデータ（以下、コンテンツ関連データ）が含まれている。コンテンツ関連データには、コンテンツを示すデータ（コンテンツ名称、ファイル名など）と、このコンテンツデータが記録されている場所（ダウンロード元）を示すデータ、例えばＵＲＬ（uniform resource locator）が含まれている。
【００４４】
まず、携帯電話機２は、サーバシステム４が提供しているサービス情報を取得するため、ユーザ操作によりサーバシステム４にアクセスする。すなわち、サーバシステム４（コンテンツサーバ５）のＵＲＬアドレスが指定されることにより、通信網３（公衆回線、インターネット）を介してサービス情報の提供サイトにアクセスし、サービス情報の取得要求を送信する（ステップＡ１）。
【００４５】
コンテンツサーバ５は、携帯電話機２からのサービス情報の取得要求があれば（ステップＢ１、Ｙｅｓ）、これに対してユーザに関する情報の登録要求を行なう（ステップＢ２）。この場合、コンテンツサーバ５の処理は一定時間毎の割り込みにより開始する。なお、後述するステップＤ１、Ｆ１、Ｈ１、Ｇ１、Ｋ１、Ｌ１の処理を含むフローチャートも同様である。ユーザに関する情報としては、例えば住所、氏名、年令、電子メールアドレスなどの個人情報の他、任意に設定される暗証番号（パスワード）などを含む。
【００４６】
携帯電話機２は、コンテンツサーバ５による情報登録要求を受信すると、要求された各情報についてのユーザからの入力を受け付け、自機に固有のＳＩＤと共にコンテンツサーバ５に送信する（ステップＡ３）。
【００４７】
コンテンツサーバ５は、携帯電話機２からの情報を受信すると、これらの情報を顧客データとしてデータベースサーバ７に送信して登録を要求する（ステップＢ４）。データベースサーバ７は、コンテンツサーバ５から取得した情報を、顧客データとしてＳＩＤをキーとしてデータベースに登録する（ステップＣ１、Ｃ２）。
【００４８】
一方、コンテンツサーバ５は、顧客データのデータベースサーバ７への登録が完了すると、携帯電話機２に対してサービス情報を送信する（ステップＢ５）。なお、サービス情報に含まれるコンテンツ関連データは、携帯電話機２を使用するユーザが、サービス情報の取得要求を送信する前に予め指定できるようにしても良いし、コンテンツサーバ５にアクセスするためのＵＲＬが複数のコンテンツ関連データごとに用意されており、何れのＵＲＬにアクセスされたかによってコンテンツ関連データが選択されるようにしても良い。
【００４９】
携帯電話機２は、コンテンツサーバ５からサービス情報を受信すると（ステップＡ４）、サービス情報に含まれるダウンロードプログラムとダウンロード関連データを記録する（ステップＡ５）。
【００５０】
なお、携帯電話機２のユーザは、顧客データがデータベースサーバ７に登録され、サービス情報を取得することで、サーバシステム４が提供するサービスを利用可能な正当なユーザとして扱われる。その後、携帯電話機２を通じて、サーバシステム４が提供するサービス（例えば画像データのダウンロード）の利用に応じた課金処理などが実行される（例えば、図示せぬ課金サーバにより、顧客毎の課金が管理されるものとする）。
【００５１】
図６には、コンテンツサーバ５から携帯電話機２に提供されたサービス情報に含まれるコンテンツに関するデータの概要を示している。図６に示すように、コンテンツ関連データには、サーバシステム４が提供するダウンロードサービスを利用して、コンテンツサーバ５からダウンロードが可能なコンテンツの名称（例えば画像の内容を表す）と、それぞれに対応してコンテンツをダウンロードする際に指定するためのＵＲＬとが対応づけられている。
【００５２】
次に、本実施形態におけるデータ出力システムにおいて、プリントベンダーマシン１を通じてコンテンツ（画像データ）をダウンロードして出力させる場合の動作について、図７及び図８に示すフローチャートを参照しながら説明する。図９は、本実施形態におけるデータ出力システムの処理の流れを説明するための図である。
【００５３】
まず、携帯電話機２は、プリントベンダーマシン１と接続される。例えば、携帯電話機２は、ユーザにより保持された状態でプリントベンダーマシン１に近づくことで、近距離通信部３８とプリントベンダーマシン１の近距離通信部１９との間で無線リンクが確立される。
【００５４】
なお、プリントベンダーマシン１に携帯電話機２との接続が可能なコネクタが設けられたケーブルを用意しておき、このケーブルのコネクタをユーザが携帯電話機２の端子に結合することによって接続するようにしても良い。
【００５５】
携帯電話機２は、コンテンツサーバ５から取得したサービス情報によって得られたダウンロードプログラムを起動し、以下に説明する処理を実行する。  
まず、携帯電話機２は、プリントベンダーマシン１に対して、個々のプリントベンダーマシン１に割り当てられた固有のＩＰ（internet protocol）アドレスの送信を要求する（ステップＥ１）（図９（１））。
【００５６】
プリントベンダーマシン１は、携帯電話機２からＩＰアドレスの送信が要求されると（ステップＤ１、Ｙｅｓ）、この要求に対して携帯電話機２に対して自機のＩＰアドレスを送信する（ステップＤ２）（図９（２））。
【００５７】
携帯電話機２は、プリントベンダーマシン１からＩＰアドレスを受信すると（ステップＥ２）、コンテンツ関連データをもとにして、プリントベンダーマシン１を通じて利用するサービスとコンテンツを選択するための画面を表示し、ユーザに選択させる（ステップＥ３）。
【００５８】
例えば、図１０には、図６に示すコンテンツ関連データを用いて、コンテンツ名の一覧を表示させたコンテンツ選択用の画面の一例を示している。ここでは、例えば画像データのダウンロードサービスを利用するものとして、画像データを示すコンテンツ名称が一覧表示される。
【００５９】
なお、前述した説明では、携帯電話機２においてコンテンツをユーザにより選択させているが、プリントベンダーマシン１においてコンテンツを選択する指示を受け付けるようにしても良い。この場合、携帯電話機２からプリントベンダーマシン１に対してコンテンツ関連データを提供する。プリントベンダーマシン１は、携帯電話機２から得られたコンテンツ関連データをもとにしてコンテンツ選択用の画面を表示し、このコンテンツ選択用の画面に応じた入力を受け付けることによって、ユーザによりダウンロードの対象とするコンテンツを任意に選択させる。そして、プリントベンダーマシン１は、ユーザにより選択されたコンテンツを示すデータを携帯電話機２に返送する。
【００６０】
こうして、コンテンツの選択が行われると、携帯電話機２は、通信網３を介してサーバシステム４の認証サーバ６に接続し、この認証サーバ６に対して、サーバシステム４が提供するダウンロードサービスの利用、すなわちプリントベンダーマシン１を通じたデータのダウンロードを許可する正当なユーザであるかを確認するための認証処理の実行を要求する（ステップＥ４）。この際、携帯電話機２は、サービス情報を要求した時にサーバシステム４に対して送信した暗証番号（パスワード）のユーザからの入力を受け付ける。また、携帯電話機２は、ユーザによって入力された暗証番号（パスワード）と携帯電話機２に固有のＳＩＤと共に、プリントベンダーマシン１から取得したＩＰアドレス、すなわちコンテンツデータのダウンロード先を示すデータを認証サーバ６に送信する（図９（３））。
【００６１】
認証サーバ６は、携帯電話機２からの認証要求を受け付けると（ステップＦ１、Ｙｅｓ）、携帯電話機２から受信したＳＩＤに該当する顧客データの送信をデータベースサーバ７に要求する（ステップＦ２）（図９（４））。
【００６２】
データベースサーバ７は、認証サーバ６から顧客データの送信要求があると（ステップＧ１、Ｙｅｓ）、ＳＩＤをキーにしてデータベースを検索し、同一のＳＩＤが登録されているか判別する。そして、該当するＳＩＤが検索できた場合に、同ＳＩＤと対応づけられた各データ（暗証番号（パスワード）を含む）を読み出して認証サーバ６に送出する（ステップＧ２）（図９（５））。
【００６３】
認証サーバ６は、データベースサーバ７から顧客データを受信すると（ステップＦ３）、携帯電話機２から受信した暗証番号（パスワード）と、データベースサーバ７にＳＩＤと対応づけて登録されていた暗証番号（パスワード）とを用いた認証処理を実行する（ステップＦ４）。すなわち、両者が一致しているか否かによって、携帯電話機２から認証要求をしてきたユーザが正当な利用者であるか否かを判別する。
【００６４】
ここで、認証処理に失敗した場合、すなわち該当するＳＩＤが登録されていない、あるいは暗証番号（パスワード）が一致しなかった場合には（ステップＦ５、Ｎｏ）、認証サーバ６は、携帯電話機２に対して新規のユーザ登録要求を送信する（ステップＦ６）（図９（３）’）。
【００６５】
このユーザ登録要求を受信した携帯電話機２は、前述したサービス情報を要求した場合と同様にして、ＳＩＤを含めユーザに関する情報をコンテンツサーバ５に送信して、顧客データをデータベースサーバ７に登録するための登録処理を実行する（ステップＥ６）。
【００６６】
一方、認証処理に成功した場合、すなわち暗証番号（パスワード）が一致した場合には（ステップＦ５、Ｙｅｓ）、認証サーバ６は、コンテンツサーバ５に対して、携帯電話機２から取得したプリントベンダーマシン１のＩＰアドレスと、認証要求時に受信している携帯電話機２のＳＩＤを送信する（ステップＦ７）。すなわち、認証サーバ６は、このＩＰアドレス宛のＳＩＤの指定を伴うデータ要求（ダウンロード要求）に対するアクセス許可をコンテンツサーバ５に与える。
【００６７】
コンテンツサーバ５は、認証サーバ６からＩＰアドレスとＳＩＤを受信すると（ステップＨ１、Ｙｅｓ）、このＩＰアドレスとＳＩＤを記録しておく（ステップＨ２）。コンテンツサーバ５は、ここで記録したＩＰアドレス宛てに、コンテンツ（画像データ）を送信することになる。コンテンツサーバ５は、ＩＰアドレスとＳＩＤを正常に記録すると認証サーバ６に対して応答を送信する（ステップＨ３）（図９（７））。
【００６８】
認証サーバ６は、コンテンツサーバ５からの応答に応じて、携帯電話機２に対して認証が正常に行われたものとして認証完了の通知を送信する（ステップＦ８）（図９（８））。
【００６９】
携帯電話機２は、認証サーバ６からの認証完了の通知を受信すると（ステップＥ７）、プリントベンダーマシン１に対して、認証サーバ６によって正常に認証されたことを通知するとともに、ステップＥ３においてユーザによって指定されたコンテンツを示すＵＲＬと自機のＳＩＤとを送信し、コンテンツのダウンロードの実行を要求する（ステップＥ８）（図９（９））。
【００７０】
プリントベンダーマシン１は、携帯電話機２からのダウンロードの実行要求とともに、コンテンツを示すＵＲＬと携帯電話機２のＳＩＤを受信すると（図８、ステップＪ１、Ｙｅｓ）、通信網３を介してコンテンツサーバ５に対して、携帯電話機２から取得したＳＩＤと自機に割り当てられたＩＰアドレスと共に、ＵＲＬが示すコンテンツの自機のＩＰアドレス宛へのダウンロードを要求する（ステップＪ２）（図９（１０））。
【００７１】
コンテンツサーバ５は、プリントベンダーマシン１からのデータ要求を受信すると（ステップＫ１、Ｙｅｓ）、この要求と共に受信したＳＩＤとＩＰアドレスに対して、先にステップＨ１，Ｈ２において認証サーバ６から受信しているＳＩＤとＩＰアドレスをもとに認証処理を実行する（ステップＫ２）。すなわち、プリントベンダーマシン１から指定されたＳＩＤが、認証サーバ６における認証処理において先に正当なユーザが使用する携帯電話機２からのＳＩＤと一致し、かつデータのダウンロード先として指定されたＩＰアドレスが一致しているかを確認する。
【００７２】
ここで、認証に失敗した場合（ステップＫ３、Ｎｏ）、コンテンツサーバ５は、認証に失敗したことによりコンテンツのダウンロードが実行できないことを、プリントベンダーマシン１に通知する（ステップＫ４）。この場合、プリントベンダーマシン１は、例えばダウンロードができないことを表すメッセージなどを表示することでユーザに通知する。
【００７３】
一方、認証に成功した場合（ステップＫ３、Ｙｅｓ）、コンテンツサーバ５は、データベースサーバ７に対して、指定されたコンテンツのデータ要求を送信する（ステップＫ５）（図９（１１））。
【００７４】
データベースサーバ７は、コンテンツサーバ５からのデータ要求に応じて（ステップＬ１、Ｙｅｓ）、該当するコンテンツのデータ（画像データ）をデータベースから読み出し、コンテンツサーバ５に送出する（ステップＬ２）（図９（１２））。
【００７５】
コンテンツサーバ５は、データベースサーバ７から取得した画像データを、通信網３を介してプリントベンダーマシン１に送信する（ステップＫ６）。
【００７６】
プリントベンダーマシン１は、コンテンツサーバ５からの画像データのダウンロードを開始し（ステップＪ４）、受信された画像データを順次記録していく（ステップＪ５）。プリントベンダーマシン１は、画像データのダウンロードが完了すると、この画像データを用いて印刷装置１６においてプリント出力（印刷）を実行する（ステップＪ６）。そして、画像データをもとに印刷して得られた写真を写真受け取り口２３から排出する。こうして、携帯電話機２のユーザは、プリントベンダーマシン１を通じてダウンロードしたコンテンツを取得することができる。
【００７７】
このようにして、本実施形態におけるデータ出力システムでは、画像データ（コンテンツ）のダウンロードを、携帯電話機２を介さないで、プリントベンダーマシン１が直接コンテンツサーバ５からするようにしたので、携帯電話機２においてデータのダウンロードを不要とすることができる。これにより、携帯電話機２によるデータ通信量の削減を図ることができる（通信料の低減）。また、各ユーザが使用している携帯電話機２において、直接、コンテンツをダウンロードさせないことで、コンテンツデータを保護するための仕組みを不要にすることができる。
【００７８】
また、携帯電話機２がサービス情報を保持し、このサービス情報を利用してプリントベンダーマシン１によりダウンロードを実行させるので、例えば新たなサービスがサーバシステム４から提供される場合であっても（新規コンテンツデータの追加など）、プリントベンダーマシン１を何ら変更する必要がないため、メンテナンスの負担増加を招かないで済む。
【００７９】
なお、前述した説明においてコンテンツサーバ５からダウンロードされるコンテンツとして画像データを対象としているが、テキストデータ、表データ、グラフデータ、音楽データ（ＭＰ３（MPEG-1 Audio Layer-III）データなど）、他のコンテンツデータを対象とするができる。
【００８０】
また、コンテンツの出力（画像のプリントアウト）をプリントベンダーマシン１において実行しているが、プリントベンダーマシン１によってダウンロードされたコンテンツデータを携帯通信機器に移動して、携帯通信機器においてコンテンツを出力するようにしても良い。
【００８１】
また、前述した説明では、携帯通信機器として携帯電話機２を対象として説明しているが、ＰＤＡ（personal digital assistant）、ウェアラブルパーソナルコンピュータ、デジタルスチルカメラ、デジタルビデオカメラ、ＰＨＳ（personal handyphone system）端末など、各種の機器を対象として実現することができる。
【００８２】
さらに、上記実施の形態には種々の段階の発明が含まれており、開示される複数の構成要件における適宜の組み合わせにより種々の発明が抽出され得る。例えば、実施の形態に示される全構成要件から幾つかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００８３】
【図１】本発明の実施の形態におけるデータ出力システムの構成を示すブロック図。
【図２】本実施形態におけるプリントベンダーマシン１と携帯電話機２の外観構成を示す図。
【図３】本実施形態におけるプリントベンダーマシン１の機能構成を示すブロック図。
【図４】本実施形態における携帯電話機２の構成を示すブロック図。
【図５】本実施形態における携帯電話機２がサーバシステム４（コンテンツサーバ５）からサービス情報を取得する処理について説明するためのフローチャート。
【図６】本実施形態におけるコンテンツサーバ５から携帯電話機２に提供されたサービス情報に含まれるコンテンツに関するデータの概要を示。
【図７】本実施形態におけるプリントベンダーマシン１を通じてコンテンツをダウンロードして出力させる場合の動作を説明するためのフローチャート。
【図８】本実施形態におけるプリントベンダーマシン１を通じてコンテンツをダウンロードして出力させる場合の動作を説明するためのフローチャート。
【図９】本実施形態におけるデータ出力システムの処理の流れを説明するための図。
【図１０】図６に示すコンテンツ関連データを用いて、コンテンツ名の一覧を表示させたコンテンツ選択用の画面の一例を示す図。
【符号の説明】
【００８４】
１（１−１，１−２，１−３，…）…プリントベンダーマシン、２…携帯電話機、３…通信網、４…サーバシステム、５…コンテンツサーバ、６…認証サーバ、７…データベースサーバ、１０…ＣＰＵ、１１…入力装置、１２…表示装置、１３…ＲＡＭ、１４…伝送制御部、１５…金銭授受装置、１５ａ…１０００札投入口、１５ｂ…硬貨投入口、１５ｃ…返却レバー、１６…印刷装置、１７…記録装置、１８…外部メディア部、１８１…メディアドライブ、１８２…メディアスロット、１９…近距離通信部、２０…バスライン、２１…お釣り返却口、２２…レシート受け取り口、２３…写真受け取り口、３０…ＣＰＵ、３１…入力部、３２…表示部、３３…ＲＯＭ、３４…ＲＡＭ、３５…通話／通信部、３６…音声入出力部、３６ａ…スピーカ、３６ｂ…マイク、３７…記録部、３８…近距離通信部。
【図１】
2006080945.tif 000003
【図２】
2006080945.tif 000004
【図３】
2006080945.tif 000005
【図４】
2006080945.tif 000006
【図５】
2006080945.tif 000007
【図６】
2006080945.tif 000008
【図７】
2006080945.tif 000009
【図８】
2006080945.tif 000010
【図９】
2006080945.tif 000011
【図１０】
2006080945.tif 000012